(57)【要約】【課題】顔の一部分のみを見る時には見やすく、且つ、顔全体や顔と他の箇所を一緒に見る時にはより広い範囲を見ることができる手鏡を提供する。【解決手段】本発明に係る手鏡は、平面鏡１１１と、平面鏡１１１の鏡面上に着脱可能な凹レンズ１２１と、を有する。この手鏡では、顔の一部分のみを見る時には、凹レンズ１２１が鏡面に装着されていない状態で使用することにより、通常の手鏡と同様の像を見ることができる。また、顔全体や顔と他の箇所を一緒に見る時には凹レンズ１２１を鏡面に装着することにより、人や物からの光が凹レンズ１２１を通過することによって縮小された像が形成されるため、凹レンズ１２１が装着されていない場合よりも広い範囲のものが平面鏡１１１に映し出される。【選択図】図６
2011056067.tif 000002
【特許請求の範囲】
【請求項１】
a) 平面鏡と、
b) 前記平面鏡の鏡面上に着脱可能な凹レンズと、
を備えることを特徴とする手鏡。
【請求項２】
前記凹レンズを前記鏡面上にクリックストップさせる凹レンズクリックストップ装置を備えることを特徴とする請求項１に記載の手鏡。
【請求項３】
前記凹レンズの前記平面鏡側とは反対側の凹レンズ面上に着脱可能な蓋を備えることを特徴とする請求項１又は２に記載の手鏡。
【請求項４】
前記蓋を前記凹レンズ面上にクリックストップさせる蓋クリックストップ装置を備えることを特徴とする請求項３に記載の手鏡。
【請求項５】
請求項１又は２に記載の手鏡が蓋の一部又は全部として取り付けられていることを特徴とする鏡付容器。
【発明の詳細な説明】
【技術分野】
【０００１】
本発明は携帯型その他の、主に顔を映すための小型の鏡（手鏡）に関する。
【背景技術】
【０００２】
携帯型手鏡は携帯可能な小型の鏡であり、一般的に鏡面が小さいため、顔を映そうとするとその一部分しか映らない。そのため、携帯型手鏡では、口紅やアイシャドー等を塗る際のように顔の一部分（口や目の周りなど）のみを見る時には特に問題は生じないが、顔全体を映すことができないため、顔全体での化粧のバランスを確認することが難しい。また、顔の一部又は全体と、顔よりも下の衣服、ネックレス、スカーフ、ネクタイ等を一緒に映すことも難しい。
【０００３】
特許文献１には、平面鏡の鏡面にそれと同程度の大きさの凹レンズを一体に装着した「凹レンズ組み合わせ鏡」が記載されている。この文献には、凹レンズ組み合わせ鏡によれば、物体からの光が凹レンズを通過することによって縮小された像が作られるため、凹レンズがない時と比べてより広い範囲のものが平面鏡に映し出される、と記載されている。
【先行技術文献】
【特許文献】
【０００４】
【特許文献１】実開昭63-111822号公報（実用新案登録請求の範囲、第１〜２図）
【発明の概要】
【発明が解決しようとする課題】
【０００５】
特許文献１に記載の凹レンズ組み合わせ鏡では、常に人や物が実際よりも縮小されて映される。そのため、口紅やアイシャドー等を塗る際のように、顔の一部分のみを見る時には却って見難くなる。
【０００６】
このような問題は、携帯用手鏡だけではなく、アクセサリー入れの蓋に取り付けられた鏡など、小型の鏡全般において共通に生じる。本発明が解決しようとする課題は、顔の一部分のみを見る時には見やすく、且つ、顔全体や顔と他の箇所を一緒に見る時にはより広い範囲を見ることができる手鏡を提供することである。
【課題を解決するための手段】
【０００７】
上記課題を解決するために成された本発明に係る手鏡は、
a) 平面鏡と、
b) 前記平面鏡の鏡面上に着脱可能な凹レンズと、
を備えることを特徴とする。
【０００８】
本発明に係る手鏡においては、顔の一部分のみを見る時には凹レンズが鏡面上に装着されていない状態で使用する。これにより、通常の携帯型手鏡等と同様に顔の一部分が比較的大きく映る。一方、顔全体や顔と他の箇所を一緒に見る時には凹レンズを鏡面上に装着して使用する。これにより、物体（物や人）からの光が凹レンズを通過することによって縮小された像が形成されるため、凹レンズが装着されていない場合よりも広い範囲のものが平面鏡に映し出される。
【０００９】
前記手鏡は、前記凹レンズの前記平面鏡側とは反対側の凹レンズ面上に着脱可能な蓋を備えていることが望ましい。この蓋により、手鏡を使用しない時に衝撃や汚れから凹レンズを保護することができる。
【００１０】
本発明に係る手鏡において、前記凹レンズを前記鏡面上にクリックストップさせる凹レンズクリックストップ装置を備えることが望ましい。また、本発明に係る手鏡が前記蓋を備える場合には、該蓋を前記凹レンズ面上にクリックストップさせる蓋クリックストップ装置を備えることが望ましい。これらのクリックストップ装置を用いることにより、手鏡を使用しない時に、平面鏡（及び、蓋クリックストップ装置を用いる場合には凹レンズ）が不意に外部に晒されることがなく、衝撃や汚れから保護される。
【００１１】
本発明に係る手鏡は蓋の一部又は全部として容器に取り付けられていてもよい（鏡付容器）。
【発明の効果】
【００１２】
本発明によれば、１個の手鏡だけで、顔の一部分のみを見る時には見やすく、且つ、顔全体や顔と他の箇所を一緒に見る時にはより広い範囲を見ることができる。
【図面の簡単な説明】
【００１３】
【図１】本発明に係る手鏡の第１の実施例である携帯型手鏡を示す斜視図。
【図２】第１実施例の携帯型手鏡の分解斜視図。
【図３】第１実施例の携帯型手鏡の縦断面図。
【図４】第１実施例の携帯型手鏡の凹レンズ部を平面鏡側から見た斜視図。
【図５】第１オス連結部材の側面図(a)及び斜視図(b)並びに第１メス連結部材の斜視図(c)。
【図６】第１実施例の携帯型手鏡の使用状態を示す斜視図。
【図７】第１実施例の携帯型手鏡の変形例を示す分解斜視図(a)、平面鏡部１１Ａの上面図(b)、凹レンズ部１２Ａの下面図(c)及び上面図(d)、並びに蓋部１３Ａの下面図(e)。
【図８】本発明に係る手鏡の第２の実施例である携帯型手鏡を示す斜視図。
【図９】第２実施例の携帯型手鏡の使用状態を示す斜視図。
【図１０】第１実施例及び第２実施例の変形例である携帯型手鏡を示す斜視図(a)及びその携帯型手鏡をケースに収容する様子を示す正面図(b)。
【図１１】第１実施例及び第２実施例の変形例である、ストラップ取付部を有する携帯型手鏡を示す斜視図。
【図１２】第１実施例及び第２実施例の変形例である柄付きの手鏡を示す斜視図。
【図１３】第１実施例及び第２実施例の変形例である吸盤付きの手鏡を示す斜視図。
【図１４】本発明の第３実施例である鏡付容器を示す斜視図。
【図１５】鏡付容器の第１の変形例を示す斜視図。
【図１６】鏡付容器の第２の変形例の全体を示す斜視図(a)、平面鏡部３１Ｂと凹レンズ部３２Ｂ、及び凹レンズ部３２Ｂと凹レンズの蓋３８の接続を示す斜視図(b)、並びに平面鏡部３１Ｂを下側から見た斜視図(c)。
【図１７】鏡付容器の第３の変形例を示す斜視図。
【図１８】鏡付容器の第４の変形例を示す斜視図。
【図１９】鏡付容器の第５の変形例を示す斜視図。
【発明を実施するための形態】
【００１４】
図１〜図１９を用いて、本発明に係る手鏡及び鏡付容器の実施例を説明する。
【実施例１】
【００１５】
まず、図１〜図６を用いて、第１実施例の手鏡である携帯型手鏡１０について説明する。携帯型手鏡１０は、図１に示すように、平面鏡部１１、凹レンズ部１２及び蓋１３から成る。これら平面鏡部１１、凹レンズ部１２及び蓋１３はいずれも全体形状が円形である。なお、これら平面鏡部１１、凹レンズ部１２及び蓋１３の全体形状は楕円形、長方形、正方形等、いずれの形状であってもよいが、本実施例では、使いやすさ及びデザインの観点から円形とした。
【００１６】
平面鏡部１１は図２及び図３に示すように、平面鏡１１１と、平面鏡１１１の縁及び裏面を保持する平面鏡保持枠１１２を有する。凹レンズ部１２は、凹レンズ１２１と、凹レンズ１２１の縁を保持する凹レンズ保持枠１２２を有する（図２、図３）。凹レンズ１２１は、片面のみ凹状である片凹レンズ（図３(a)）、両面が凹状である両凹レンズ(b)のいずれであってもよい。本実施例では、平面鏡保持枠１１２、凹レンズ保持枠１２２及び蓋１３はいずれもプラスチック（ABS樹脂）製である。凹レンズ１２１の材料にはアクリル樹脂を使用した。なお、平面鏡保持枠１１２、凹レンズ保持枠１２２又は／及び蓋１３には、ポリプロピレンやセルロイドなど、ABS樹脂以外のプラスチックから成るものを用いることができる。また、これら平面鏡保持枠１１２、凹レンズ保持枠１２２又は／及び蓋１３には、マグネシウム合金やアルミニウム合金等の金属製、紙製、ゴム製のもの等、本実施例で用いた材料以外のものを用いてもよい。また、凹レンズ１２１についても、ガラス製のもの等、本実施例で用いた材料以外のものを用いてもよい。
【００１７】
平面鏡保持枠１１２の縁の上面（平面鏡１１１と平行な面）には第１メス連結部材１４１が設けられている。また、凹レンズ保持枠１２２の縁の下面の一部には窪み１５が設けられており、その窪み１５内に第１オス連結部材１４２が設けられている（図４）。一方、凹レンズ保持枠１２２の縁の上面であって、第１オス連結部材１４２から凹レンズ１２１を挟んで対面する位置には第２メス連結部材１６１が設けられ、蓋１３の下面には第２オス連結部材１６２が設けられている。平面鏡部１１と凹レンズ部１２は第１メス連結部材１４１と第１オス連結部材１４２により接続され、凹レンズ部１２と蓋１３は第２メス連結部材１６１と第２オス連結部材１６２により接続されている。なお、第２メス連結部材１６１は第１オス連結部材１４２の直上に設けることも可能ではあるが、そのような構成を採ると両者の位置を縦方向にずらす必要性が生じ、それにより凹レンズ部１２が厚くなる。そのため、本実施例では、第１オス連結部材１４２は、第２メス連結部材１６１から横方向にずらして、凹レンズ１２１を挟んで対面する位置に設けた。
【００１８】
ここで、これらオス連結部材及びメス連結部材の構成について、第１オス連結部材１４２及び第１メス連結部材１４１を例に説明する。第２オス連結部材１６２及び第２メス連結部材１６１はそれぞれ第１オス連結部材１４２及び第１メス連結部材１４１と同様の構成を有する。
【００１９】
第１オス連結部材１４２は、図５(a)(b)に示すように、半球状の頭部１４２１と、頭部１４２１の底面からそれに垂直に延びる軸部１４２２を有する。頭部１４２１は半球の一部がその底面に垂直な平面であるオス側平面１４２３で切断された形状を有する。また、頭部１４２１及び軸部１４２２は軸に平行な面で120°刻みに３分割されている。一方、第１メス連結部材１４１は、図５(c)に示すように、第１筒部１４１１と、第１筒部１４１１よりも内径が小さい第２筒部１４１２を軸方向に接続した形状を有する。第１筒部１４１１は円筒の一部が軸に平行なメス側平面１４１３で切断された形状を有し、上面（第２筒部１４１２の反対側）は閉鎖されている（なお、図５(c)で第１筒部１４１１の内部を示すために、上面を省略して描いている）。第１筒部１４１１と第２筒部１４１２の境界には、両者の径の差に応じた、軸に垂直な段１４１４が設けられている。第２筒部１４１２は円筒状の形状を有する。
【００２０】
第１オス連結部材１４２は第２筒部１４１２側から第１メス連結部材１４１に差し込まれており、頭部１４２１が第１筒部１４１１内に、軸部１４２２が第２筒部１４１２内にある。そのため、頭部１４２１の半球の底面が段１４１４に引っ掛かり、第１オス連結部材１４２が第１メス連結部材１４１から抜けることはない。なお、携帯型手鏡１０の製造時に第１オス連結部材１４２を第１メス連結部材１４１に差し込む際には、３分割された頭部１４２１が第２筒部１４１２の壁に押されて小さくなるため第２筒部１４１２を通過する。
【００２１】
第１実施例の携帯型手鏡１０の使用方法を、図６を用いて説明する。
携帯型手鏡１０は、持ち運びの際など、鏡を使用しない時には、図１に示すように平面鏡部１１、凹レンズ部１２及び蓋１３を重ねた状態にしておく。この状態では、オス側平面１４２３とメス側平面１４１３の位置が一致しており、オス側平面１４２３の縁がメス側平面の縁に引っ掛かるため、凹レンズ部１２と蓋１３の相対的な位置が固定される（クリックストップ）。同様に、平面鏡部１１と凹レンズ部１２も第２オス連結部材１６２と第２メス連結部材１６１によりクリックストップされる。これらのクリックストップ装置を用いているため、携帯型手鏡１０の持ち運びの際に、凹レンズ１２１に関して蓋１３が開くこと、及び平面鏡１１１に関して凹レンズ部１２が開くことがなく、凹レンズ１２１が及び平面鏡１１１が衝撃や汚れから保護される。
【００２２】
口や目の周りなど、顔の一部分を見る時には、使用者は片手で平面鏡保持枠１１２を保持し、その反対の手で凹レンズ保持枠１２２を平面鏡１１１に平行な方向に押す。すると、オス側平面１４２３の縁がメス側平面１４１３の縁を越え、凹レンズ部１２が第１オス連結部材１４２の軸の周りに回動する。これにより、凹レンズ部１２がスライドして平面鏡１１１が表に現れる（図６(a)）。そのため、使用者は通常の携帯用手鏡と同様に顔の一部分を平面鏡１１１に映すことができる。
【００２３】
顔全体を見る時、あるいは顔と顔よりも下を一緒に見る時のように、平面鏡１１１だけでは映すことができない時には、使用者は片手で凹レンズ保持枠１２２を保持し、その反対の手で蓋１３を平面鏡１１１に平行な方向に押す。これにより、蓋１３が第１オス連結部材１４２の軸の周りに回動する。これにより蓋１３がスライドし、凹レンズ１２１が表に現れる（図６(b)）。使用者は凹レンズ１２１を通して平面鏡１１１を見る。すると、手鏡に映そうとする人や物からの光は凹レンズ１２１を通過して平面鏡１１１に反射され、再び凹レンズ１２１を通過する。そのため、使用者には、凹レンズ１２１を装着しない場合よりも像が縮小され、より広い範囲のものが見える。
【００２４】
凹レンズ１２１の焦点距離は特に限定されないが、凹レンズ１２１を装着しない時は口や目の周りなどの顔の一部のみを映し、凹レンズ１２１を装着した時は顔全体を映すという使い方をする場合には120〜150mmとすることが好ましい。なお、凹レンズ１２１の曲率半径及び凹レンズ１２１の材料の屈折率は上記のように焦点距離を設定するように適宜調整されれば、特に限定されない。また、凹レンズ１２１の厚みは通常、焦点距離に与える影響が無視できるほど小さい。そのため、凹レンズ１２１の厚みは、持ち易さやスライド時の操作性に応じて凹レンズ部１２の厚みを定めたうえで、その凹レンズ部１２の厚みに応じて定めるとよい。
【００２５】
次に、第１実施例の変形例である携帯型手鏡１０Ａについて説明する。本変形例の携帯型手鏡１０Ａは、図７に示すように、平面鏡部１１Ａ、凹レンズ部１２Ａ及び蓋部１３Ａとを備える。これら３個の構成要素は、以下に述べる点を除いて、第１実施例の携帯型手鏡１０におけるものと同様の構成を有する。第１実施例の携帯型手鏡１０との相違点はクリックストップ装置にある。本変形例では、平面鏡部１１Ａと凹レンズ部１２Ａはそれ自体クリックストップ機構を有しない第１オス連結部材１７１Ａと第１メス連結部材１７１Ｂで連結され、凹レンズ部１２Ａと蓋部１３Ａはクリックストップ機構を有しない第１オス連結部材１７２Ａと第１メス連結部材１７２Ｂで連結されている。そして、平面鏡部１１Ａの上面には、第１オス連結部材１７１Ａを中心として互いに1/2回転対称となる位置に第１孔１８１及び第２孔１８２が設けられている（図７(b)）。また、凹レンズ部１２Ａの下面には、平面鏡部１１Ａと凹レンズ部１２Ａを重ねた時に第１孔１８１に対応する位置に第１突起１９１が、第２孔１８２に対応する位置に第２突起１９２が、それぞれ設けられている（図７(c)）。一方、凹レンズ部１２Ａの上面には、第２メス連結部材１７２Ｂを中心として互いに1/2回転対称となる位置に第３突起１９３及び第４突起１９４が設けられている（図７(d)）。更に、蓋部１３Ａの下面には、凹レンズ部１２Ａと蓋部１３Ａを重ねた時に第３突起１９３に対応する位置に第３孔１８３が、第４突起１９４に対応する位置に第４突孔１８４が、それぞれ設けられている（図７(e)）。
【００２６】
本変形例の携帯型手鏡１０Ａの使用方法は、基本的には第１実施例の携帯型手鏡１０と同様である。ここでは、本変形例におけるクリックストップ機構について説明する。まず、平面鏡部１１Ａと凹レンズ部１２Ａを重ねている時は、第１孔１８１と第１突起１９１が噛み合うと共に、第２孔１８２と第２突起１９２が噛み合うことにより、平面鏡部１１Ａと凹レンズ部１２Ａの相対的な位置が固定される。次に、図６(a)に示した場合と同様に凹レンズ部１２Ａを平面鏡部１１Ａに対して相対的に回動させると、第１突起１９１が第１孔１８１から外れると共に、第２突起１９２が第２孔１８２から外れる。そして、凹レンズ部１２Ａを、平面鏡部１１Ａと固定されていた位置から180°回動させると、第１孔１８１と第２突起１９２が噛み合うと共に、第２孔１８２と第１突起１９１が噛み合う。これにより、その位置に凹レンズ部１２Ａが固定される（クリックストップ）。そして、凹レンズ部１２Ａを平面鏡部１１Ａと重なる位置に戻すと、再び第１孔１８１と第１突起１９１が噛み合うと共に、第２孔１８２と第２突起１９２が噛み合うことにより、平面鏡部１１Ａと凹レンズ部１２Ａが固定される（クリックストップ）。同様に、凹レンズ部１２Ａと蓋部１３Ａもクリックストップさせることができる。
【実施例２】
【００２７】
次に、図８及び図９を用いて、第２実施例の手鏡である携帯型手鏡２０について説明する。
携帯型手鏡２０は、第１実施例の携帯型手鏡１０と同様に、平面鏡２１１と平面鏡保持枠２１２から成る平面鏡部２１、凹レンズ２２１と凹レンズ保持枠２２２から成る凹レンズ部２２、及び蓋２３を有する。第１実施例との相違点は、平面鏡部２１と凹レンズ部２２、及び凹レンズ部２２と蓋２３がそれぞれ、平面鏡２１１に平行な軸を持つ蝶番２４で接続されている点にある。
【００２８】
携帯型手鏡２０の使用方法を説明する。鏡を使用しない時には、第１実施例と同様に、図８に示すように平面鏡部２１、凹レンズ部２２及び蓋２３を重ねた状態にしておく。顔の一部分を見る時には、片手で平面鏡保持枠２１２を保持し、その反対の手で凹レンズ部２２と蓋２３を重ねた状態で上げることにより、平面鏡２１１が表に現れる（図９(a)）。また、平面鏡２１１だけでは映すことができない広い範囲を見る時には、片手で凹レンズ保持枠２２２を保持し、その反対の手で蓋２３のみを上げることにより、凹レンズ２２１が表に現れる（図９(b)）。平面鏡２１１が表に現れた時、及び凹レンズ２２１が表に現れた時の像の見え方は第１実施例の場合と同様である。
【００２９】
次に、第１実施例及び第２実施例の変形例について説明する。
図１０に示した携帯型手鏡１０Ａは、第１実施例における蓋１３を省略したものである。この携帯型手鏡１０Ａは、第１実施例のものと同じ平面鏡部１１Ａと、第１実施例のものから蓋１３と接続するための第２メス連結部材を省略した凹レンズ部１２Ａを有する。この携帯型手鏡１０Ａを携帯する際には、布等から成るケース１７１に収容することにより、平面鏡や凹レンズを衝撃や汚れから保護する。なお、ケース１７１には、第１実施例や第２実施例に示した、蓋が付いた携帯型手鏡を収容してもよい。
図１１に示した携帯型手鏡１０Ｂは、平面鏡部１１Ｂの平面鏡保持枠に、ストラップを取り付けるためのストラップ取付部１７２を設けたものである。凹レンズ部１２Ｂの構成は第１実施例のものと同様である。この例では、ストラップ取付部１７２にストラップを取り付けることにより、携帯型手鏡をネックレスや懐中時計に似た装飾性のある小物として用いることができる。
図１２に示した手鏡１０Ｃは、平面鏡部１１Ｃの平面鏡保持枠に柄１７３を設けたものである。凹レンズ部１２Ｃは携帯型手鏡１０Ａにおける凹レンズ部１２Ａと同様の構成を有し、また、携帯型手鏡１０Ａと同様にクリックストップ装置により平面鏡部１１Ｃと接続されている。
図１３に示した手鏡１０Ｄは、平面鏡部１１Ｄの裏面（平面鏡を取り付けた面と反対側の面）に吸盤１７４を取り付けたものである。凹レンズ部１２Ｄの構成は携帯型手鏡１０Ａにおける凹レンズ部１２Ａと同様である。この吸盤１７４により、壁面やガラス窓など、様々な所にこの手鏡を取り付けることができる。
なお、図１０〜図１３では、第１実施例と同様に平面鏡部と凹レンズ部をクリックストップ装置で接続したものを示したが、これら変形例においても、第２実施例と同様に平面鏡部と凹レンズ部を蝶番で接続してもよい。
【実施例３】
【００３０】
次に、図１４を用いて、第３実施例である鏡付容器３０について説明する。
鏡付容器３０は、平面鏡３１１と平面鏡保持枠３１２から成る平面鏡部３１、凹レンズ３２１と凹レンズ保持枠３２２から成る凹レンズ部３２及び容器本体３３を有する。平面鏡部３１及び凹レンズ部３２は第２実施例における平面鏡部２１及び凹レンズ部２２と同様の構成を有する。容器本体３３は凹レンズ部２２と同じ大きさの円形であって平底を有るものである。平面鏡部３１と凹レンズ部３２、及び凹レンズ部３２と容器本体３３は蝶番３４で接続されている。なお、上記実施例では平面鏡部３１、凹レンズ部３２及び容器本体３３が円形のものを示したが、これらは楕円形、長方形、正方形等、円形以外のものであってもよい。
【００３１】
鏡付容器３０の使用方法を説明する。鏡を使用しない時には、第２実施例と同様に平面鏡部３１、凹レンズ部３２及び容器本体３３を重ねた状態にしておく（図１４(a)）。この時、平面鏡部３１及び凹レンズ部３２は容器本体３３の蓋の役割を担っている。顔の一部分を見る時には、片手で凹レンズ部３２を保持し、その反対の手で平面鏡部３１を上げることにより、平面鏡３１１が表に現れる(b)。平面鏡３１１だけでは映すことができない広い範囲を見る時には、片手で容器本体３３を保持し、その反対の手で平面鏡部３１及び凹レンズ部３２を重ねた状態で上げることにより、平面鏡３１１の表面が凹レンズ３２１で覆われた状態で現れる(c)。
【００３２】
なお、ここでは平面鏡部と凹レンズ部を蝶番で接続した例を示したが、図１５に示すように、平面鏡部３１Ａと凹レンズ部３２Ａを、第１実施例で説明した連結部材（オス連結部材及びメス連結部材）３５で接続することにより、平面鏡部３１Ａが凹レンズ部３２Ａに対してスライドするようにしてもよい。
【００３３】
また、図１６に示すように、平面鏡部３１Ｂを容器本体３３Ｂへのネジ式の蓋とすることもできる。図１６に示した例では、容器本体３３Ｂの上側の縁に雄ネジ３３１を設けると共に、平面鏡部３１Ｂの平面鏡保持枠３１２Ｂの下側の内面に雌ネジ３１１を設ける。平面鏡部３１Ｂと凹レンズ部３２Ｂ、及び凹レンズ部３２Ｂと凹レンズの蓋３８（第１実施例の蓋１３に相当）は、第１実施例で説明した連結部材で接続する。あるいは、図１７に示すように、平面鏡部３１Ｂと凹レンズ部３２Ｂ、及び凹レンズ部３２Ｂと凹レンズの蓋３８は蝶番３４Ｂで接続してもよい。なお、平面鏡部３１Ｂと凹レンズ部３２Ｂ、又は凹レンズ部３２Ｂと凹レンズの蓋３８のいずれか一方を蝶番３４で接続し、他方を第１実施例の連結部材で接続してもよい。更には、図１８に示すように、内側に雌ネジ（図示せず）を設けた中空円筒状の蓋部材３９の上に、蝶番又は連結部材により凹レンズ部３２Ｃを接続し、凹レンズ部３２Ｃの上に蝶番又は連結部材により平面鏡部３１Ｃを接続したものを容器本体３３Ｂの蓋として用いてもよい。
【００３４】
なお、図１６〜図１８では平面鏡部３１Ｂを容器本体３３Ｂの蓋とした例を示したが、容器本体の底に凹レンズ部を設け、その凹レンズ部の下に平面鏡部を設ける（第１実施例の携帯型手鏡１０における蓋１３の代わりに容器本体を設ける）ことにより、容器本体を凹レンズ部の蓋とした構成をとることもできる。
【００３５】
鏡付容器の蓋は、ここまでに述べたように平面鏡部と凹レンズ部から成るものであることは必須ではなく、例えば図１９に示すように、容器本体３３Ａの蓋３６の裏面に平面鏡部及び凹レンズ部から成る第１鏡３７を取り付けたものであってもよい。なお、図１９の例では、蓋３６の裏面に第１鏡３７１と共に、通常の平面鏡である第２鏡３７２を並べて設けた。
【符号の説明】
【００３６】
１０、１０Ａ、１０Ｂ、２０…携帯型手鏡
１０Ｃ、１０Ｄ…手鏡
１１、１１Ｂ、１１Ｃ、１１Ｄ、２１、３１、３１Ａ、３１Ｂ、３１Ｃ…平面鏡部
１１１、２１１、３１１…平面鏡
１１２、２１２、３１２、３１２Ｂ…平面鏡保持枠
１２、１２Ｂ、１２Ｃ、１２Ｄ、２２、３２、３２Ａ、３２Ｂ、３２Ｃ…凹レンズ部
１２１、２２１、３２１…凹レンズ
１２２、２２２、３２２…凹レンズ保持枠
１３、２３…蓋
１４１…第１メス連結部材
１４１１…第１メス連結部材の第１筒部
１４１２…第１メス連結部材の第２筒部
１４１３…メス側平面
１４１４…第１筒部１４１１と第２筒部１４１２の境界の段
１４２…第１オス連結部材
１４２１…第１オス連結部材の頭部
１４２２…第１オス連結部材の軸部
１４２３…オス側平面
１６１…第２メス連結部材
１６２…第２オス連結部材
２４、３４、３４Ｂ…蝶番
３３、３３Ａ、３３Ｂ…容器本体
３３１…雄ネジ
３５…連結部材
３６…容器の蓋
３７１…第１鏡
３７２…第２鏡
３８…凹レンズの蓋
３９…蓋部材
【図１】
2011056067.tif 000003
【図２】
2011056067.tif 000004
【図３】
2011056067.tif 000005
【図４】
2011056067.tif 000006
【図５】
2011056067.tif 000007
【図６】
2011056067.tif 000008
【図７】
2011056067.tif 000009
【図８】
2011056067.tif 000010
【図９】
2011056067.tif 000011
【図１０】
2011056067.tif 000012
【図１１】
2011056067.tif 000013
【図１２】
2011056067.tif 000014
【図１３】
2011056067.tif 000015
【図１４】
2011056067.tif 000016
【図１５】
2011056067.tif 000017
【図１６】
2011056067.tif 000018
【図１７】
2011056067.tif 000019
【図１８】
2011056067.tif 000020
【図１９】
2011056067.tif 000021